(57)【要約】【課題】  扉パネルと側パネルとの連結状態を維持する際に扉パネル側に保持されるロックピンと扉パネル側に形成される係止部との間における回動阻止を効果的に実現し得るようにする。【解決手段】  前進時に側パネルＰ３に設けた係合部２に係合すると共に後退時に係合部２との係合を解除するロックピン１を保持する扉パネルＰ２がロックピン１における把持部１１を起立状態に嵌合させる前進時係止部６を有し、この前進時係止部６が把持部１１を臨在させる一対の挟持片６ａ，６ｂを有すると共に、この一対の挟持片６ａ，６ｂにおけるいずれか一方の挟持片６ａが、把持部１１を対向する他方の挟持片６ｂに向けて押圧し、あるいは、この一対の挟持片６ａ，６ｂ間からの把持部１１の脱け出しを阻止するストッパ部６ｃを有してなる。【選択図】  図１
2011031894.tif 000002
【特許請求の範囲】
【請求項１】
ボックスパレットにおける扉パネル側に水平方向に保持されながら軸線方向に移動可能とされると共に軸芯線を中心にして回動可能とされるロックピンと、上記のボックスパレットにおける側パネル側に設けられて上記のロックピンの前進時にこのロックピンの先端部を係合させると共にこのロックピンの後退時にこのロックピンの先端部との係合を解除する係合部とを有してなるパネルロック装置において、上記のロックピンがこのロックピンに一体に連結されてその揺動操作および水平移動を可能にする把持部を有し、上記の扉パネルが上記の把持部を起立状態に嵌合させる係止部を有し、この係止部が上記の把持部を臨在させる一対の挟持片を有すると共に、この一対の挟持片におけるいずれか一方の挟持片が、上記の把持部を対向する他方の挟持片に向けて押圧し、あるいは、この一対の挟持片間からの上記の把持部の脱け出しを阻止するストッパ部を有してなることを特徴とするパネルロック装置。
【請求項２】
上記の係止部が上記のロックピンの前進時における上記の把持部の嵌合を許容する前進時係止部と、上記のロックピンの後退時における上記の把持部の嵌合を許容する後退時係止部とからなる請求項１に記載のパネルロック装置。
【請求項３】
上記のロックピンが棒状に形成の本体部を有し、この本体部に連結の上記の把持部がこの本体部における軸線方向に直交する方向に連結されてなる請求項１または請求項２に記載のパネルロック装置。
【請求項４】
上記のロックピンが上記の扉パネルに付設されたガイド部材で水平状態に支持されてなる請求項１，請求項２または請求項３に記載のパネルロック装置。
【請求項５】
上記のロックピンにおける先端部が軸線方向に直交する方向に折り曲げ形成されたフック部とされる一方で、このフック部がこのロックピンの前進後の回動時に上記の係合部に係合すると共にこのロックピンの回動後の後退時に上記の係合部との係合が解除されてなる請求項１，請求項２，請求項３または請求項４に記載のパネルロック装置。
【請求項６】
上記の係合部が上記の側パネル側に形成されて上記のロックピンにおける先端部の係合を許容する縦長孔あるいはＵ字状孔を有してなる請求項１，請求項２，請求項３，請求項４または請求項５に記載のパネルロック装置。
【発明の詳細な説明】
【技術分野】
【０００１】
この発明は、パネルロック装置に関し、特に、ボックスパレットにおける扉パネルと側パネルとの連結の可不可の選択を可能にするパネルロック装置の改良に関する。
【背景技術】
【０００２】
ボックスパレットにおける扉パネルと側パネルとの連結の可不可の選択を可能にするパネルロック装置としては、従来から種々の提案があるが、たとえば、特許文献１には、パネルロック装置がこのパネルロック装置を構成するロックピンにおけるいたずらな回動を阻止する回動阻止機構を有する提案が開示されている。
【０００３】
すなわち、この特許文献１に開示のパネルロック装置にあっては、ボックスパレットにおける扉パネル側に保持されるロックピンと、ボックスパレットにおける側パネル側に設けられてロックピンの前進時にこのロックピンを係合させると共にロックピンの後退時にこのロックピンとの係合を解除する係合部とを有する。
【０００４】
それゆえ、この特許文献１に開示のパネルロック装置にあっては、扉パネル側に保持されるロックピンを側パネル側に設けられる係合部に係合させることで、また、扉パネル側に保持されるロックピンの側パネル側に設けられる係合部への係合を解除させることで、ボックスパレットにおける扉パネルと側パネルとの連結の可不可を選択できる。
【０００５】
その一方で、上記の提案にあって、ロックピンは、このロックピンの進退を容易にするための把持部を有するが、この把持部は、角Ｕ字状の正面形状を有するように形成されると共に両方の上端をロックピンに連結させてロックピンに対して垂下されるように一体に連設される。
【０００６】
このとき、把持部もロックピンと同様に鋼材で形成されて言わば重量を大きくするため、たとえば、ボックスパレットが収容物を放出するために逆さまに吊持されるとき、ロックピンが自重で自由回動する可能性がある。
【０００７】
そして、このロックピンにおける自由回動に起因してロックピンが後退すると、扉パネルと側パネルとの連結状態が解除される不具合が発現されるので、ロックピンが自由回動しないように回動阻止機構を有する。
【０００８】
そしてまた、上記の提案にあって、この回動阻止機構は、ロックピンに連設される把持部が垂下された状態を固定的に継続し得るもので、したがって、ロックピンがいたずらに回動することを阻止し得て、また、ロックピンが自由回動に起因して後退せず、ボックスパレットが収容物を放出するために逆さまに吊持されても扉パネルと側パネルとの連結状態を維持し得る。
【先行技術文献】
【特許文献】
【０００９】
【特許文献１】特２００７‐１１２４５３公報（要約，明細書中の段落０００５から同０００７，図１から図９参照）
【発明の概要】
【発明が解決しようとする課題】
【００１０】
しかしながら、上記した特許文献１に開示の提案にあっては、ロックピンがいたずらに回動されず、したがって、扉パネルと側パネルとの連結状態を維持し得る点で基本的に問題がある訳ではないが、利用の実際にあって、些かの不具合があると指摘される可能性がある。
【００１１】
すなわち、上記したパネルロック装置における回動阻止機構は、ロックピン側と、ロックピンを移動可能に保持する扉パネル側との間における摩擦抵抗を利用する。
【００１２】
つまり、ロックピンは、把持部を垂下させる方向に回動するときに扉パネル側に干渉して摩擦抵抗を最大にする摩擦抵抗部を有するが、この摩擦抵抗部は、把持部が水平に持ち上げられてロックピンが進退されるときには、扉パネル側に干渉せず、したがって、摩擦抵抗を発生しない。
【００１３】
たとえば、ロックピンが前進状態にあるときに把持部が水平から倒されるように回動され、したがって、摩擦抵抗部が扉パネル側に干渉する状態になると、ロックピン側と扉パネル側との間の摩擦抵抗を生じ、特に、把持部が真下に垂下されると、摩擦抵抗が最大になり、ロックピンの自由回動が阻止される。
【００１４】
それゆえ、上記した特許文献１に開示の提案にあっては、ロックピン側と扉パネル側との間における摩擦抵抗が最適値となるように、ロックピン側および扉パネル側における寸法管理が重要になり、その具現化にあって、手間を要するなどで、ボックスパレットにおける製品コストの低廉化を困難にする不具合がある。
【００１５】
この発明は、上記した事情を鑑みて創案されたものであって、その目的とするところは、扉パネルと側パネルとの連結状態を維持する際に扉パネル側に保持されるロックピンにおけるいたずらな回動を効果的に阻止し得て、ボックスパレットにおける汎用性の向上を期待するのに最適となるパネルロック装置を提供することである。
【課題を解決するための手段】
【００１６】
上記した目的を達成するために、この発明によるパネルロック装置の構成を、基本的には、ボックスパレットにおける扉パネル側に水平方向に保持されながら軸線方向に移動可能とされると共に軸芯線を中心にして回動可能とされるロックピンと、上記のボックスパレットにおける側パネル側に設けられて上記のロックピンの前進時にこのロックピンの先端部を係合させると共にこのロックピンの後退時にこのロックピンの先端部との係合を解除する係合部とを有してなるパネルロック装置において、上記のロックピンがこのロックピンに一体に連結されてその揺動操作および水平移動を可能にする把持部を有し、上記の扉パネルが上記の把持部を起立状態に嵌合させる係止部を有し、この係止部が上記の把持部を臨在させる一対の挟持片を有すると共に、この一対の挟持片におけるいずれか一方の挟持片が、上記の把持部を対向する他方の挟持片に向けて押圧し、あるいは、この一対の挟持片間からの上記の把持部の脱け出しを阻止するストッパ部を有してなるとする。
【発明の効果】
【００１７】
それゆえ、この発明にあっては、ボックスパレットにおいて、側パネルに連結される扉パネルに保持されるロックピンにおける把持部が扉パネルに設けられる係止部に嵌合されるとき、この係止部が間に把持部を臨在させる一対の挟持片を有すると共に、この一対の挟持片におけるいずれか一方の挟持片が、把持部を対向する他方の挟持片に向けて押圧し、あるいは、この一対の挟持片間からの把持部の脱け出しを阻止するストッパ部を有してなるから、係止部に嵌合された把持部に対して、この把持部の係止部への嵌合を解除するときの操作力より小さい外力が作用する限りには、把持部の係止部への嵌合が解除されず、したがって、ロックピンのいたずらな回動を阻止し得る。
【００１８】
ちなみに、上記のストッパ部を有する挟持片は、係止部たる一対の挟持片間に臨在された把持部をこの一対の挟持片間から離脱させるときの操作力に劣る挟持力、あるいは、一対の挟持片間に臨在された把持部をこの一対の挟持片間から抜き出すときの操作力に劣る抑止力を有してなるから、上記の操作力が上記の挟持力あるいは抑止力に勝るときに、把持部の係止部への嵌合が解除可能になり、単なる振動などに起因する外力作用や自重で把持部が係止部から離脱するのを阻止できる。
【００１９】
その結果、ボックスパレットを逆さまにして収容物を下方に落下させるときにも、ロックピンが回動されず、ロックピンによる扉パネルと側パネルとの連結状態が維持される。
【図面の簡単な説明】
【００２０】
【図１】この発明の一実施形態によるボックスパレットを示す概略全体斜視図である。
【図２】図１のボックスパレットにおける扉パネルと側パネルとを連結するパネルロック装置を拡大して示す部分斜視図である。
【図３】図２のパネルロック装置においてロックピンで扉パネルと側パネルとを連結した状態を示す部分横断面図である。
【図４】扉パネルと側パネルとの連結を解除した状態のパネルロック装置を図２と同様に示す図である。
【発明を実施するための形態】
【００２１】
以下に、図示した実施形態に基づいて、この発明を説明するが、この発明によるパネルロック装置Ｓは、ボックスパレット（符示せず）、すなわち、図１に示すように、矩形の平面形状を呈する底パネルＰ１と、この底パネルＰ１の四辺部から上方に向けて起立する一対の扉パネルＰ２，Ｐ２と、一対の側パネルＰ３，Ｐ３とを有し、一対の扉パネルＰ２，Ｐ２の上端と一対の側パネルＰ３，Ｐ３の上端とで形成される矩形の開口が開放される函型のパレットに具現化される。
【００２２】
このとき、このボックスパレットにあっては、扉パネルＰ２，Ｐ２および側パネルＰ３，Ｐ３が共に底パネルＰ１に対して起伏可能に連結されて良いが、これに代えて、扉パネルＰ２，Ｐ２だけが、あるいは、側パネルＰ３，Ｐ３だけが、底パネルＰ１に対して起伏可能に連結されても良い。
【００２３】
そして、パネルロック装置Ｓは、ボックスパレットにおいて扉パネルＰ２と側パネルＰ３との連結を可能にすると共に、その連結解除も可能にするもので、この連結解除時には、上記したところから、扉パネルＰ２，Ｐ２および側パネルＰ３，Ｐ３の傾倒を可能にすると共に、扉パネルＰ２，Ｐ２および側パネルＰ３，Ｐ３のいずれかの傾倒を可能にする。
【００２４】
なお、ボックスパレットは、基本的には、収容物を限定しないから、各パネルＰ１，Ｐ２，Ｐ３が所定の機械的強度を有するように形成されれば良く、また、トラックの荷台への積載を可能にして搬送可能とされ、さらには、クレーンを利用するなどの吊持、特に、上端開口を下方に向けて収容物を下方に落下させるようにする逆さまの吊持を可能にするように形成されるのが好ましい。
【００２５】
以上からすると、各パネルＰ１，Ｐ２，Ｐ３は、詳しくは図示しないが、鋼材からなる角パイプで形成の額縁に適宜に間柱を連結するなどして補強し、額縁や間柱に連結するように鋼板や任意構造の金網を展設させてなり、ボックスパレットを形成するとき、内側に所定の収容空間を形成する。
【００２６】
なお、ボックスパレットを形成する各パネルＰ１，Ｐ２，Ｐ３についての呼称であるが、基本的には任意で良く、たとえば、一対の扉パネルＰ２，Ｐ２と称するのに代えて、図示しないが、一枚の扉パネルと一枚の背パネルと称するとしても良い。
【００２７】
また、ボックスパレットを形成する扉パネルＰ２および側パネルＰ３については、これがいわゆる一枚物からなることに代えて、図示しないが、上下方向の中段で中折れ状態に折り畳まれるとしても良い。
【００２８】
そして、底パネルＰ１は、下方部に図示しないフォークリフトにおけるフォークの差し込みを許容する空間Ａを有する他、同じボックスパレットの段積みを可能にするための脚Ｌを有しても良い。
【００２９】
ボックスパレットが以上のようの形成されるとき、この発明のパネルロック装置Ｓは、ボックスパレットにおける扉パネルＰ２側に、すなわち、図示するところでは、扉パネルＰ２における正面の左右の上方部に水平方向に保持されながら軸線方向となる横方向に移動可能とされると共に横方向に延びる軸芯線を中心にして回動可能とされるロックピン１（図２，図３および図４参照）を有してなる。
【００３０】
そして、この発明のパネルロック装置Ｓは、ボックスパレットにおける側パネルＰ３側に、すなわち、図示するところでは、側パネルＰ３の左右の上方部に設けられてロックピン１の前進時にロックピン１の先端部を係合させると共にロックピン１の後退時にロックピン１の先端部との係合を解除する係合部２（図３参照）を有してなる。
【００３１】
少し説明すると、先ず、ロックピン１は、図示するところでは、鋼材の丸棒からなり、このロックピン１の言わば本体部（符示せず）に一体に連結されて、その揺動操作および水平移動を可能にする把持部１１を有する。
【００３２】
このとき、この把持部１１もロックピン１における本体部と同様に鋼材の丸棒からなり、図示するところでは、ロックピン１を構成する鋼材からなる丸棒を折り曲げることで本体部と把持部１１とが一体に形成される。
【００３３】
ちなみに、図示するところでは、把持部１１の下端部は、本体部の下方にあって、本体部に並行するように適宜の長さに折り曲げられて握り補助部（符示せず）とされるが、この握り補助部の形成については、これが省略されても良い。
【００３４】
なお、図示するロックピン１は、鋼材からなる丸棒を折り曲げ成形して、本体部を始めとして把持部１１および握り補助部を形成するから、部品コストの低廉化に寄与する。
【００３５】
また、図示するロックピン１は、言うなればほぼコ字状に形成されるから、たとえば、前記した特許文献１に開示のロックピンのようにほぼロ字状に形成される場合に比較して、材料費を廉くするのはもちろんのこと、重量の軽減も可能になり、したがって、このロックピン１が自重で回動するのを抑止する力についてもこれを小さくできる点で有利となる。
【００３６】
つぎに、このロックピン１にあっては、図２，図３および図４中で左側部とされる先端部が本体部における軸線方向に直交する方向に折り曲げ形成されたフック部１２とされる。
【００３７】
そして、このフック部１２は、図２に示すように、ロックピン１の前進後の回動時に前記した係合部２に係合する（図３参照）と共に、図４に示すように、ロックピン１の回動後の後退時に上記の係合部２との係合を解除する。
【００３８】
つまり、フック部１２は、図２中に実線図で示すように、ロックピン１における把持部１１が扉パネルＰ２の正面に副うように垂下されるときに、水平に言わば起き上がって、係合部２に係合し、図２中に仮想線図で示すように、ロックピン１における把持部１１が水平に言わば持ち上げられるときに、垂直に言わば倒れて、係合部２との係合を解除する。
【００３９】
以上のように把持部１１とフック部１２とを有して以上のように作動するロックピン１は、前記したように、扉パネルＰ２における正面の左右の上方部に水平方向に保持されながら軸線方向に移動可能とされると共に軸芯線を中心にして回動可能とされる。
【００４０】
そのため、図示するところでは、ロックピン１における本体部が扉パネルＰ２の正面に付設されたガイド部材３と、扉パネルＰ２を形成する柱材（符示せず）に形成の挿通孔４とによって水平状態に支持される。
【００４１】
そして、このとき、ガイド部材３および挿通孔４は、ロックピン１における本体部との間にいたずらな抵抗を発生させず、本体部の自由挿通を許容し、したがって、ロックピン１が移動可能および回動可能とされる。
【００４２】
また、図示するところにあって、上記のガイド部材３は、扉パネルＰ２の正面に付設されたプレート５に付設されるが、これに代えて、図示しないが、扉パネルＰ２の正面に直接付設されても良い。
【００４３】
ちなみに、ロックピン１を移動可能および回動可能に保持するについて、図示するところでは、一方のガイド部材３と他方の挿通孔４とし、たとえば、前記した特許文献１に開示の提案にあって、複数のガイド部材を利用することに比較して、部品点数を少なくできる点で有利となる。
【００４４】
ちなみに、ガイド部材３を形成するのにあって、これを軸長に形成する、つまり、ロックピン１の本体部における所定の移動量を確保しながらこの本体部の揺動を効果的に阻止できる軸方向長さを有するようにガイド部材３が形成される場合には、上記した挿通孔４の配設を省略し得て、構成の一層の簡素化が可能になる。
【００４５】
ロックピン１が上記のように形成される一方で、このパネルロック装置Ｓにあっては、扉パネルＰ２に設けられてこのロックピン１のいたずらな回動を阻止する係止部、すなわち、図２に示すように、ロックピン１の前進時における把持部１１の嵌合を許容する前進時係止部６を有する。
【００４６】
ちなみに、この実施形態では、図３に示すように、前進時係止部６と同様の構造に形成されてロックピン１の後退時における把持部１１の嵌合を許容する後退時係止部７を有する。
【００４７】
このとき、この発明にあっては、前進時係止部６がロックピン１のいたずらな回動を阻止して、このロックピン１による扉パネルＰ２と側パネルＰ３との連結状態を確実に維持するとの観点からすると、上記の後退時係止部７については絶対的に必要とは言い得ない。
【００４８】
そこで、以下の説明では、前進時係止部６について説明することで、後退時係止部７についての説明を省略するが、発明者は、この後退時係止部７を設けることについて、その必要性があると認識しているので、このことについては、後述する。
【００４９】
ところで、前進時係止部６は、把持部１１を臨在させる一対の挟持片６ａ，６ｂを有すると共に、この一対の挟持片６ａ，６ｂにおけるいずれか一方の挟持片、たとえば、挟持片６ａがこの一対の挟持片６ａ，６ｂ間からの把持部１１の脱け出しを阻止するストッパ部６ｃを有してなる。
【００５０】
このとき、一対の挟持片６ａ，６ｂは、図示するところでは、扉パネルＰ２の正面に付設された前記のプレート５に植設されるが、これに代えて、図示しないが、上記のプレート５から切り起し成形されても良く、この場合には、この発明における係止部を形成するのに際して、いわゆる部品点数を少なくできる。
【００５１】
一方、この発明にあって、ロックピン１のいたずらな回動を阻止するとの観点からすると、ロックピン１における把持部１１が上記した一対の挟持片６ａ，６ｂ間にあることに代えて、ストッパ部６ｃが把持部１１を対向する他方の挟持片６ｂに向けて押圧して、その際の摩擦抵抗で、一対の挟持片６ａ，６ｂ間で把持部１１が動けないようになり、一対の挟持片６ａ，６ｂ間からの把持部１１の脱け出しが阻止されるとしても良い。
【００５２】
また、ストッパ部６ｃたる凸部は、上記したいずれか一方の挟持片６ａに形成されることに代えて、図示するように、両方の挟持片６ａ，６ｂに形成されても良いことはもちろんである。
【００５３】
そして、ストッパ部６ｃの形状についても、図示するところでは、言わば点状の凸部とされたが、これに代えて、図示しないが、リブ状の凸部とされても良く、また、上記したところでは、ストッパ部６ｃが一対の挟持片６ａ，６ｂのいずれか一方の挟持片に設けられるとしたが、これに代えて、図示するように、一対の挟持片６ａ，６ｂにおける両方の挟持片６ａ，６ｂに設けられるとしても良い。
【００５４】
なお、図示するところにあって、係止部として前進時係止部６の他に後退時係止部７を有するが、この後退時係止部７も、詳しくは説明しないが、前進時係止部６と同様に、一対の挟持片７ａ，７ｂを有し、また、ストッパ部７ｃを有してなる。
【００５５】
ところで、図示するところにあって、係止部が前進時係止部６と後退時係止部７の二箇所とされるのは、ロックピン１による扉パネルＰ２と側パネルＰ３との連結状態が解除されたとき、すなわち、図４に示すように、ロックピン１が後退して、扉パネルＰ２と側パネルＰ３との連結の用を成さなくなったとき、このロックピン１の自由回動や自由移動が許容された状態のままに置かれることが好ましくないからである。
【００５６】
そして、この後退時係止部７が設けられることで、後退状態にあるロックピン１が回動されて把持部１１や握り補助部が扉パネルＰ２の正面に振れ当りすることが阻止され、いわゆる騒音発生を回避できる。
【００５７】
また、この後退時係止部７が設けられることで、後退状態にあるロックピン１における本体部が回動や移動に対して固定されるから、ロックピン１における先端部たるフック部１２を固定状態に置くことが可能になり、たとえば、扉パネルＰ２と側パネルＰ３を連結する作業の際の障害にならない利点がある。
【００５８】
ところで、たとえば、前進時係止部６にあって、ロックピン１における把持部１１が一対の挟持片６ａ，６ｂ間にあって、ストッパ部６ｃが把持部１１を対向する他方の挟持片６ｂに向けて押圧することで、把持部１１の一対の挟持片６ａ，６ｂの間からの脱け出しを阻止しても良いとしたが、このときには、ストッパ部６ｃと把持部１１との間、および、把持部１１と他方の挟持片６ｂとの間における摩擦抵抗で、把持部１１が一対の挟持片６ａ，６ｂ間で動けないことになる。
【００５９】
つまり、摩擦抵抗で把持部１１の移動、すなわち、ロックピン１における本体部の回動を阻止することになり、この点に関しては、前記した特許文献１に開示の提案と異ならないと思料され得る。
【００６０】
しかしながら、前記した特許文献１に開示の提案では、ロックピンにおける言わば本体部とこれが対向する部位との間における摩擦抵抗に依存するから、この発明のように本体部から言わば離れた部位たる把持部１１とこれが対向する部位との間における摩擦抵抗に依存する場合に比較して、この発明の方が回動阻止のためのいわゆる抑止力を小さくできる点で有利となる。
【００６１】
このことは、採りも直さず、この発明は、ロックピンにおけるいたずらな回動を阻止するための回動阻止機構における高機能化を可能にし、また、大きな摩擦抵抗の発生を可能にするような構成を採用しなくて済み、いわゆる部品コストの低減を可能にする点で有利となる。
【００６２】
以上のように形成されたパネルロック装置Ｓは、ボックスパレットを形成する際に扉パネルＰ２を側パネルＰ３に連結する手段とされるのは前記した通りであるが、この場合に、扉パネルＰ２の側パネルＰ３に対する照準を容易にするため、図示するところでは、側パネルＰ３が扉パネルＰ２の隅部に対向するアングル材からなる補助フレーム８を有してなる。
【００６３】
それゆえ、扉パネルＰ２を側パネルＰ３に連結する際に、図３に示すように、上記の補助フレーム８に扉パネルＰ２を隣接させながら側パネルＰ３に近隣させるとき、ロックピン１の先端部たるフック部１２を側パネルＰ３側に設けた係合部２に向けて簡単に前進させ得る。
【００６４】
なお、上記のフレーム８は、ロックピン１における先端部たるフック部１２の挿通を許容する孔、すなわち、縦長孔あるいはＵ字状孔からなる孔８ａを有し、また、上記の係合部２も、詳しくは図示しないが、この孔８ａと同様に縦長孔あるいはＵ字状孔からなる。
【００６５】
ちなみに、係合部２についてだが、図示するところでは、縦長孔あるいはＵ字状孔からなるが、凡そロックピン１における先端部たるフック部１２の係合およびその解除を可能にする限りには、これに代えて、図示しないが、たとえば、棒状や帯状に形成されても良い。
【００６６】
前記したところは、この発明のパネルロック装置Ｓがボックスパレットを構成する扉パネルＰ２と側パネルＰ３との連結の可不可の選択を可能にするとして説明したが、この発明のパネルロック装置Ｓが機能するところからすると、凡そ扉パネルＰ２に相当するパネル類と側パネルＰ３に相当するパネル類とを有する限りには、その連結の可不可の選択を可能にするものとして利用されても良いことはもちろんである。
【産業上の利用可能性】
【００６７】
ボックスパレットにおいて、扉パネルと側パネルとの連結状態を維持する際に扉パネル側に保持されるロックピンにおけるいたずらな回動阻止を効果的に実現するのに向く。
【符号の説明】
【００６８】
１  ロックピン
２  係合部
３  ガイド部材
４  挿通孔
５  プレート
６  前進時係止部
６ａ，６ｂ，７ａ，７ｂ  挟持片
６ｃ，７ｃ  ストッパ部
７  後退時係止部
８  補助フレーム
８ａ  孔
１１  把持部
１２  先端部たるフック部
Ａ  空間
Ｌ  脚
Ｐ１  底パネル
Ｐ２  扉パネル
Ｐ３  側パネル
Ｓ  パネルロック装置
【図１】
2011031894.tif 000003
【図２】
2011031894.tif 000004
【図３】
2011031894.tif 000005
【図４】
2011031894.tif 000006
【手続補正書】
【提出日】平成21年9月28日(2009.9.28)
【手続補正１】
【補正対象書類名】明細書
【補正対象項目名】００１６
【補正方法】変更
【補正の内容】
【００１６】
上記した目的を達成するために、この発明によるパネルロック装置の構成を、基本的には、ボックスパレットにおける扉パネルの正面に付設のプレートに付設されたガイド部材によって水平方向に保持されながら軸線方向に移動可能とされると共に軸芯線を中心にして回動可能とされるロックピンと、上記のボックスパレットにおける側パネルの内方に設けられて上記のロックピンの前進時にこのロックピンの先端部を係合させると共にこのロックピンの後退時にこのロックピンの先端部との係合を解除する係合部とを有し、上記のロックピンがこのロックピンに一体に連結されてその揺動操作および水平移動を可能にする正面視Ｌ字状となる把持部を有し、上記のプレートが上記の把持部を起立状態に嵌合させる係止部を有し、この係止部が上記の把持部を臨在させる一対の挟持片を有すると共に、この一対の挟持片が内側に相対向する凸部からなるストッパ部を有し、このストッパ部が上記の把持部を対向する他方の挟持片に向けて押圧し、あるいは、この一対の挟持片間からの上記の把持部の脱け出しを阻止してなるとする。
【手続補正２】
【補正対象書類名】明細書
【補正対象項目名】００１７
【補正方法】変更
【補正の内容】
【００１７】
それゆえ、この発明にあっては、ボックスパレットにおいて、側パネルに連結される扉パネルに保持されるロックピンにおける把持部が扉パネルに設けられる係止部に嵌合されるとき、この係止部が間に把持部を臨在させる一対の挟持片を有すると共に、この一対の挟持片が内側に相対向する凸部からなるストッパ部を有し、このストッパ部が把持部を対向する他方の挟持片に向けて押圧し、あるいは、この一対の挟持片間からの把持部の脱け出しを阻止してなるから、係止部に嵌合された把持部に対して、この把持部の係止部への嵌合を解除するときの操作力より小さい外力が作用する限りには、把持部の係止部への嵌合が解除されず、したがって、ロックピンのいたずらな回動を阻止し得る。
【手続補正３】
【補正対象書類名】明細書
【補正対象項目名】００５３
【補正方法】変更
【補正の内容】
【００５３】
そして、ストッパ部６ｃの形状についても、図示するところでは、言わば点状の凸部とされたが、これに代えて、図示しないが、リブ状の凸部とされても良い。
【手続補正４】
【補正対象書類名】特許請求の範囲
【補正対象項目名】全文
【補正方法】変更
【補正の内容】
【特許請求の範囲】
【請求項１】
ボックスパレットにおける扉パネルの正面に付設のプレートに付設されたガイド部材によって水平方向に保持されながら軸線方向に移動可能とされると共に軸芯線を中心にして回動可能とされるロックピンと、上記のボックスパレットにおける側パネルの内方に設けられて上記のロックピンの前進時にこのロックピンの先端部を係合させると共にこのロックピンの後退時にこのロックピンの先端部との係合を解除する係合部とを有し、上記のロックピンがこのロックピンに一体に連結されてその揺動操作および水平移動を可能にする正面視Ｌ字状となる把持部を有し、上記のプレートが上記の把持部を起立状態に嵌合させる係止部を有し、この係止部が上記の把持部を臨在させる一対の挟持片を有すると共に、この一対の挟持片が内側に相対向する凸部からなるストッパ部を有し、このストッパ部が上記の把持部を対向する他方の挟持片に向けて押圧し、あるいは、この一対の挟持片間からの上記の把持部の脱け出しを阻止してなることを特徴とするパネルロック装置。
【請求項２】
上記の係止部が上記のロックピンの前進時における上記の把持部の嵌合を許容する前進時係止部と、上記のロックピンの後退時における上記の把持部の嵌合を許容する後退時係止部とからなる請求項１に記載のパネルロック装置。
【請求項３】
上記のロックピンが棒状に形成の本体部を有し、この本体部に連結の上記の把持部がこの本体部における軸線方向に直交する方向に連結されてなる請求項１または請求項２に記載のパネルロック装置。
【請求項４】
上記のロックピンが上記の扉パネルに付設されたガイド部材で水平状態に支持されてなる請求項１，請求項２または請求項３に記載のパネルロック装置。
【請求項５】
上記のロックピンにおける先端部が軸線方向に直交する方向に折り曲げ形成されたフック部とされる一方で、このフック部がこのロックピンの前進後の回動時に上記の係合部に係合すると共にこのロックピンの回動後の後退時に上記の係合部との係合が解除されてなる請求項１，請求項２，請求項３または請求項４に記載のパネルロック装置。
【請求項６】
上記の係合部が上記の側パネル側に形成されて上記のロックピンにおける先端部の係合を許容する縦長孔あるいはＵ字状孔を有してなる請求項１，請求項２，請求項３，請求項４または請求項５に記載のパネルロック装置。
【手続補正書】
【提出日】平成21年11月11日(2009.11.11)
【手続補正１】
【補正対象書類名】明細書
【補正対象項目名】００１６
【補正方法】変更
【補正の内容】
【００１６】
上記した目的を達成するために、この発明によるパネルロック装置の構成を、基本的には、底パネルと、この底パネルの四辺部から起立する一対の扉パネルおよび一対の側パネルと、上記の扉パネルと側パネルの周囲に設けた補強用のパイプからなる額縁と、上記の扉パネルの正面に付設したプレートと、このプレートに付設されたガイド部材と、このガイド部材に水平方向に保持されながら軸線方向に移動可能とされると共に軸芯線を中心にして回動可能とされるロックピンと、上記のロックピンの前進時にこのロックピンの先端部を係合させると共にこのロックピンの後退時にこのロックピンの先端部との係合を解除する係合部とを有してなるボックスパレットにおけるパネルロック装置において、上記の係合部が上記の側パネルの額縁内に設けられる係合板と、この係合板に形成されて上記のロックピンの先端部の侵入および退出を許容する縦長孔とからなり、上記のロックピンがこのロックピンに一体に連結されてその揺動操作および水平移動を可能にする正面視Ｌ字状となる把持部を有し、上記のプレートが上記の把持部を起立状態に嵌合させる係止部を有し、この係止部が上記の把持部を挟持する一対の挟持片を有すると共に、この一対の挟持片が内側に相対向する凸部からなるストッパ部を有し、このストッパ部が上記の把持部を対向する他方の挟持片に向けて押圧し、あるいは、この一対の挟持片間からの上記の把持部の脱け出しを阻止してなるとする。
【手続補正２】
【補正対象書類名】明細書
【補正対象項目名】００３０
【補正方法】変更
【補正の内容】
【００３０】
そして、この発明のパネルロック装置Ｓは、ボックスパレットにおける側パネルＰ３側に、すなわち、図示するところでは、側パネルＰ３の左右の上方部となる額縁の内部に設けられてロックピン１の前進時にロックピン１の先端部を係合させると共にロックピン１の後退時にロックピン１の先端部との係合を解除する係合部２（図３参照）を有してなる。
このとき、係合部２は、図３に示すように、側パネルＰ３における額縁Ｆ内に設けられる係合板１３と、この係合板１３に形成されて上記のロックピン１の先端部の侵入および退出を許容する縦長孔１３ａとからなる。
【手続補正３】
【補正対象書類名】特許請求の範囲
【補正対象項目名】全文
【補正方法】変更
【補正の内容】
【特許請求の範囲】
【請求項１】
底パネルと、この底パネルの四辺部から起立する一対の扉パネルおよび一対の側パネルと、上記の扉パネルと側パネルの周囲に設けた補強用のパイプからなる額縁と、上記の扉パネルの正面に付設したプレートと、このプレートに付設されたガイド部材と、このガイド部材に水平方向に保持されながら軸線方向に移動可能とされると共に軸芯線を中心にして回動可能とされるロックピンと、上記のロックピンの前進時にこのロックピンの先端部を係合させると共にこのロックピンの後退時にこのロックピンの先端部との係合を解除する係合部とを有してなるボックスパレットにおけるパネルロック装置において、上記の係合部が上記の側パネルの額縁内に設けられる係合板と、この係合板に形成されて上記のロックピンの先端部の侵入および退出を許容する縦長孔とからなり、上記のロックピンがこのロックピンに一体に連結されてその揺動操作および水平移動を可能にする正面視Ｌ字状となる把持部を有し、上記のプレートが上記の把持部を起立状態に嵌合させる係止部を有し、この係止部が上記の把持部を挟持する一対の挟持片を有すると共に、この一対の挟持片が内側に相対向する凸部からなるストッパ部を有し、このストッパ部が上記の把持部を対向する他方の挟持片に向けて押圧し、あるいは、この一対の挟持片間からの上記の把持部の脱け出しを阻止してなることを特徴とするパネルロック装置。
【請求項２】
上記の係止部が上記のロックピンの前進時における上記の把持部の嵌合を許容する前進時係止部と、上記のロックピンの後退時における上記の把持部の嵌合を許容する後退時係止部とからなる請求項１に記載のパネルロック装置。
【請求項３】
上記のロックピンが棒状に形成の本体部を有し、この本体部に連結の上記の把持部がこの本体部における軸線方向に直交する方向に連結されてなる請求項１または請求項２に記載のパネルロック装置。
【請求項４】
上記のロックピンが上記の扉パネルに付設されたガイド部材で水平状態に支持されてなる請求項１，請求項２または請求項３に記載のパネルロック装置。
【請求項５】
上記のロックピンにおける先端部が軸線方向に直交する方向に折り曲げ形成されたフック部とされる一方で、このフック部がこのロックピンの前進後の回動時に上記の係合部に係合すると共にこのロックピンの回動後の後退時に上記の係合部との係合が解除されてなる請求項１，請求項２，請求項３または請求項４に記載のパネルロック装置。
【請求項６】
上記の係合部が上記の側パネル側に形成されて上記のロックピンにおける先端部の係合を許容する縦長孔あるいはＵ字状孔を有してなる請求項１，請求項２，請求項３，請求項４または請求項５に記載のパネルロック装置。
【手続補正４】
【補正対象書類名】図面
【補正対象項目名】図３
【補正方法】変更
【補正の内容】
【図３】
2011031894.tif 000007